【手続補正書】
【提出日】平成19年12月14日(2007.12.14)
【手続補正１】
【補正対象書類名】特許請求の範囲
【補正対象項目名】全文
【補正方法】変更
【補正の内容】
【特許請求の範囲】
【請求項１】
少なくとも１つのプロセッサと、
前記少なくとも１つのプロセッサによって実行されることができるプロセッサ実行可能命令であって、
不良のメッシュルータ証明書を排除するかどうか決定する単一の近隣範囲管理者を指定する動作と、
前記指定された近隣範囲管理者から、不良のルータとそれに関連付けられた不良の証明書の通知を受信する動作と、
前記通知に応答して、前記関連付けられた不良証明書に基づいて前記不良ルータを排除する動作と
を含む動作を行うようにルータに指示するように適合されているプロセッサ実行可能命令を含む１つまたは複数の媒体とを備えるルータであって、
前記関連付けられた不良の証明書が、前記指定された近隣範囲管理者以外のエンティティによって発行されたときでさえ、前記指定された近隣範囲管理者からの前記通知に基づいて、前記関連付けられた不良の証明書を事実上、取り消された、および／または無効であるとして扱うメッシュルータを備えることを特徴とするルータ。
【請求項２】
エンドデバイスおよび／または他のルータとの無線通信を可能にする無線送受信機をさらに備えることを特徴とする請求項１に記載のルータ。
【請求項３】
前記ルータは証明書に関連付けられ、前記ルータに関連付けられた前記証明書および、前記不良ルータの前記関連付けられた不良証明書は両方とも、製造エンティティによって署名されていることを特徴とする請求項１に記載のルータ。
【請求項４】
前記１つまたは複数の媒体はさらにデータ構造を含み、前記プロセッサ実行可能命令は、
前記データ構造中で排除の指示を、（ｉ）前記関連付けられた不良証明書、および（ｉｉ）前記不良ルータの識別子、の少なくとも１つに対応付けることを含むさらなる動作を行うように前記ルータに指示するように適合されることを特徴とする請求項１に記載のルータ。
【請求項５】
前記データ構造はさらに、個々の共有秘密鍵を個々のルータに対応付けることを特徴とする請求項４に記載のルータ。
【請求項６】
前記指定の動作は、
前記近隣範囲管理者を指定することであって、前記指定される近隣範囲管理者は別のルータであることを含むことを特徴とする請求項１に記載のルータ。
【請求項７】
排除機能を実施する方法であって、
不良のメッシュルータ証明書を排除するかどうか決定する単一の近隣範囲管理者を指定するステップと、
前記指定された近隣範囲管理者から不良ルータの通知を受信するステップと、
前記通知に応答して前記不良ルータを排除するステップとを備え、
前記受信するステップは、前記近隣範囲管理者とは異なるエンティティによって署名された署名を含む証明書である前記不良のルータに関連付けられた証明書の識別を受信するステップを含むことを特徴とする方法。
【請求項８】
前記近隣範囲管理者となる申し出をノードから受信するステップをさらに備え、前記指定のステップは、
前記近隣範囲管理者の近隣範囲に加わる意図を前記ノードに通知するステップを含むことを特徴とする請求項７に記載の方法。
【請求項９】
前記受信するステップは、
少なくとも１つの無線通信を介して１つまたは複数のパケットを受信するステップを含むことを特徴とする請求項７に記載の方法。
【請求項１０】
前記受信するステップは、帯域外の手段を介して前記通知を受信するステップを含むことを特徴とする請求項７に記載の方法。
【請求項１１】
前記受信するステップは、前記不良ルータの識別を受信するステップを含むことを特徴とする請求項７に記載の方法。
【請求項１２】
前記証明書は、（ｉ）前記関連付けられた不良ルータの名前、および（ｉｉ）前記不良ルータに関連付けられた公開鍵−秘密鍵の対の内の公開鍵を含むことを特徴とする請求項７に記載の方法。
【請求項１３】
前記証明書の識別は、前記証明書のコピーからなることを特徴とする請求項７に記載の方法。
【請求項１４】
前記排除するステップは、
前記不良ルータの識別に対応付けられた排除の指示を記憶するステップを含むことを特徴とする請求項７に記載の方法。
【請求項１５】
前記排除するステップは、
前記不良ルータに関連付けられた証明書に対応付けられた排除の指示を記憶するステップを含むことを特徴とする請求項７に記載の方法。
【請求項１６】
前記排除するステップは、
前記不良ルータとの、または前記不良ルータのための通信を完了することを拒否するステップを含むことを特徴とする請求項７に記載の方法。
【請求項１７】
他のメッシュルータと無線メッシュネットワークを確立することができるメッシュルータであって、前記メッシュルータはさらに不良のメッシュルータ証明書を排除するかどうか決定する単一の近隣範囲管理者とするメッシュルータを指定することができ、前記メッシュルータは、前記指定された近隣範囲管理者であるメッシュルータにより特定の証明書が不良であると識別されると、前記特定の証明書に関連付けられた別のメッシュルータを排除するように適合されたものであり、前記他のメッシュルータに関連付けられている前記特定の証明書は、製造エンティティによって署名されることを特徴とするメッシュルータ。
【請求項１８】
前記メッシュルータは、前記製造エンティティによって署名された証明書に関連付けられることを特徴とする請求項１７に記載のメッシュルータ。
【請求項１９】
前記製造エンティティによって署名された前記証明書は、製造時に前記メッシュルータ中に含められることを特徴とする請求項１８に記載のメッシュルータ。
【請求項２０】
前記メッシュルータの証明書は、（ｉ）前記メッシュルータの名前、（ｉｉ）前記メッシュルータに関連付けられた公開鍵−秘密鍵の対の公開鍵、および（ｉｉｉ）前記製造エンティティの秘密署名鍵によって署名された署名、を含むことを特徴とする請求項１８に記載のメッシュルータ。
【請求項２１】
前記メッシュルータはさらに、前記別のメッシュルータによって認証されたパケットを転送することを拒否することにより、前記別のメッシュルータを排除するように適合されることを特徴とする請求項１７に記載のメッシュルータ。
【請求項２２】
前記メッシュルータはさらに、前記別のメッシュルータと認証鍵交換プロトコルを実行することを拒否することにより、前記別のメッシュルータを排除するように適合されることを特徴とする請求項１７に記載のメッシュルータ。
【請求項２３】
前記メッシュルータはさらに、前記メッシュルータのデータ構造中で、排除の指示を、（ｉ）前記別のメッシュルータの識別子、（ｉｉ）前記特定の証明書、および／または（ｉｉｉ）前記メッシュルータおよび前記別のメッシュルータ間で共有される秘密鍵、に対応付けることにより、前記別のメッシュルータを排除するように適合されることを特徴とする請求項１７に記載のメッシュルータ。
【請求項２４】
プロセッサからのアクセスが可能な１つまたは複数のコンピュータ記憶媒体であって、実行されると、
メッシュルータを備える近隣範囲管理者であって、不良のメッシュルータ証明書を排除するかどうか決定する単一の近隣範囲管理者を指定する動作と、
前記近隣範囲管理者から、前記近隣範囲管理者以外のエンティティによって署名された不良メッシュルータ証明書の通知を受信する動作と、
前記近隣範囲管理者から受信した前記通知に応答して、前記不良メッシュルータ証明書を排除する動作と
を含む動作を行うように前記装置に指示するプロセッサ実行可能命令を備えることを特徴とするコンピュータ記憶媒体。
【請求項２５】
前記受信の動作は、
前記通知を受信する動作であって、前記通知は、前記不良メッシュルータ証明書に関連付けられたメッシュルータを前記不良メッシュルータ証明書および／または記憶されたデータ構造から直接判定することができるように、前記不良メッシュルータ証明書を識別するものである、そのような前記通知を受信する動作を含むことを特徴とする請求項２４に記載のプロセッサからのアクセスが可能な１つまたは複数のコンピュータ記憶媒体。
【請求項２６】
前記排除の動作は、
排除の指示を、前記不良メッシュルータ証明書と、前記不良メッシュルータ証明書に関連付けられたメッシュルータの識別子との少なくとも１つに対応付ける動作を含むことを特徴とする請求項２４に記載のプロセッサからのアクセスが可能な１つまたは複数のコンピュータ記憶媒体。
【請求項２７】
排除機能を実施する有形の構成であって、
不良のメッシュルータ証明書を排除するかどうか決定する単一の近隣範囲管理者を指定する指定手段と、
前記指定された近隣範囲管理者から不良ルータの通知を受信する受信手段と、
前記通知に応答して、前記有形の構成および前記不良のルータを製造したエンティティからの署名を含む証明書である前記不良のルータに関連付けられた証明書に基づいて、前記不良ルータを排除する排除手段と
を備えることを特徴とする有形の構成。
【請求項２８】
前記受信手段は、
（ｉ）前記不良ルータ、および（ｉｉ）前記不良ルータに関連付けられた証明書、の少なくとも１つの識別を受信する手段を含むことを特徴とする請求項２７に記載の有形の構成。
【請求項２９】
前記証明書は、（ｉ）前記不良ルータの名前、および（ｉｉ）前記不良ルータに関連付けられた公開鍵−秘密鍵の対の内の公開鍵を含むことを特徴とする請求項２７に記載の有形の構成。
【請求項３０】
前記排除手段は、
（ｉ）前記不良ルータの識別、および（ｉｉ）前記不良ルータに関連付けられた証明書、の少なくとも１つに対応付けられた１つまたは複数の排除の指示を記憶する記憶手段を含むことを特徴とする請求項２７に記載の有形の構成。
【請求項３１】
前記排除手段は、
前記不良ルータによって認証されたパケットを転送することを拒否する、かつ／または前記不良ルータと認証鍵交換プロトコルを実行することを拒否する拒否手段を含むことを特徴とする請求項２７に記載の有形の構成。
【請求項３２】
前記有形の構成は、メッシュルータを備えることを特徴とする請求項２７に記載の有形の構成。
【請求項３３】
前記有形の構成は、プロセッサからアクセス可能な１つまたは複数のコンピュータ記憶媒体を備えることを特徴とする請求項２７に記載の有形の構成。
【手続補正２】
【補正対象書類名】明細書
【補正対象項目名】００４９
【補正方法】変更
【補正の内容】
【００４９】
ブロック７０４で、不良なメッシュルータが検出される。例えば、上述の機構の１つまたは複数を介して、メッシュルータ１０２（Ａ）が不良であることを検出することができる。ブロック７０６で、近隣範囲のメッシュルータに不良のメッシュルータが通知される。例えば、メッシュルータ「Ｃ」１０２（Ｃ）が、証明書２０２（Ａ）をメッセージに含めるなどにより、メッシュルータ１０２（Ａ）を識別する排除メッセージ−メッシュルータＡ５０４をブロードキャストすることができる。排除メッセージ−メッシュルータＡ５０４は、無線メッシュネットワーク１００を介してまたは何らかの帯域外の手段を通じて送信することができる。
【手続補正３】
【補正対象書類名】明細書
【補正対象項目名】０１０３
【補正方法】変更
【補正の内容】
【０１０３】
システムメモリ１２０６は、ランダムアクセスメモリ（ＲＡＭ）１２１０などの揮発性メモリ、および／または読み出し専用メモリ（ＲＯＭ）１２１２などの不揮発性メモリの形態のプロセッサアクセス可能な記憶媒体を含む。起動時などにコンピュータ１２０２内の構成要素間の情報転送を支援する基本ルーチンを含む基本入出力システム（ＢＩＯＳ）１２１４が、通例ＲＯＭ１２１２に記憶される。ＲＡＭ１２１０には、通常、処理装置１２０４から即座にアクセス可能な、および／または処理装置１２０４によって現在操作中のデータおよび／またはプログラムモジュール／命令が入っている。
【手続補正４】
【補正対象書類名】明細書
【補正対象項目名】０１０６
【補正方法】変更
【補正の内容】
【０１０６】
ハードディスク１２１６、磁気ディスク１２２０、光ディスク１２２４、ＲＯＭ１２１２、および／またはＲＡＭ１２１０には、任意数のプログラムモジュール（または命令／コードの他の単位またはセット）を記憶することができ、これには、一般的な例として、オペレーティングシステム１２２８、１つまたは複数のアプリケーションプログラム１２３０、他のプログラムモジュール１２３２、プログラムデータ１２３４が含まれる。そのような命令は、無線メッシュネットワークに加わり、参加するためのモジュール、排除機構を実施するモジュール、ＰＫＩをエンドデバイス層に拡張するモジュール、データ構造を対応付けるモジュールなどを含むことができる。